(57)【要約】【課題】少ない通信路を用いて、１対向分の通信遅延時間で通信動作を行えるデジタル保護制御システムを提供する。【解決手段】電力保護制御システムは、少なくとも１つの保護制御装置が通信路を介して接続され、デジタルネットワークを介して互いに接続された複数の多重分離装置を有し、保護制御装置の間で情報を交換する電力保護制御システムであって、保護制御装置が、８Ｍ通信フレームと同じ形式の２Ｍ通信フレームの予め定められたチャネルに情報を多重化し、２Ｍ通信フレームの予め定められたチャネルの情報を分離する多重分離部を有し、多重分離装置が、２Ｍ通信フレームの予め定められたチャネルの情報を８Ｍ通信フレームの他の多重分離装置が受信することが予め定められたチャネルに多重化し、８Ｍ通信フレームの予め定められたチャネルの情報を２Ｍ通信フレームの予め定められたチャネルに分離化する。【選択図】図１
2005218196.tif 000002
【特許請求の範囲】
【請求項１】
少なくとも１つの保護制御装置が通信路を介して接続され、デジタルネットワークを介して互いに接続された複数の多重分離装置を有し、上記保護制御装置の間で情報を交換する電力保護制御システムであって、
上記保護制御装置が、
上記デジタルネットワークでの伝送に用いられる通信フレームと同じ形式の上記通信路で伝送される通信フレームのあらかじめ定められたチャネルに情報を配置して多重化し、他方、該保護制御装置に接続された上記多重分離装置から上記通信路を介して伝送される通信フレームのあらかじめ定められたチャネルから情報を分離化する多重分離部を有し、
上記多重分離装置が、
上記保護制御装置から上記通信路を介して伝送される通信フレームのあらかじめ定められたチャネルの情報を上記デジタルネットワークで伝送される通信フレームの他の上記多重分離装置が受信することがあらかじめ定められたチャネルに配置して多重化し、他方、他の上記多重分離装置から上記デジタルネットワークを介して伝送される通信フレームのあらかじめ定められたチャネルの情報を上記通信路で伝送される通信フレームのあらかじめ定められたチャネルに分離化することを特徴とする電力保護制御システム。
【請求項２】
上記多重分離装置毎に上記デジタルネットワークの複数の伝送路が接続され、
上記多重分離装置間が複数の上記デジタルネットワークの伝送路を介して接続され、
上記保護制御装置の多重分離部は、
送信する情報と該情報を複製した複製情報とを上記通信路で伝送される通信フレームに多重化する情報多重化手段と、
異なった上記デジタルネットワークの伝送路を介して伝送されてくる上記情報と上記複製情報とから元の情報を復元する情報復元手段と、
を有し、
上記多重分離装置が、
上記情報と上記複製情報とを別々の上記伝送路からデジタルネットワークを介して他の上記多重分離装置に伝送することを特徴とする請求項１に記載の電力保護制御システム。
【請求項３】
複数の上記保護制御装置が、１つの中央保護制御装置と少なくとも１つの端末保護制御装置とからなり、
各上記端末保護制御装置は上記中央保護制御装置との間だけで情報を交換することを特徴とする請求項１に記載の電力保護制御システム。
【請求項４】
複数の上記保護制御装置は互いに情報交換することを特徴とする請求項１に記載の電力保護制御システム。
【請求項５】
上記デジタルネットワークの網形態がバス型であることを特徴とする請求項１に記載の電力保護制御システム。
【発明の詳細な説明】
【技術分野】
【０００１】
この発明は複数の電力用保護制御装置間をデジタル伝送により情報交換する電力保護制御システムに関する。
【背景技術】
【０００２】
従来の電力保護制御システムは、電力系統から収集した電力系統の系統情報を用いて保護演算処理を行い、必要に応じて保護演算処理から得られた機器制御情報で遮断器などの機器を機器制御する。保護制御装置間に、これら系統情報と機器制御情報とが時分割で多重化された多重化情報を送信し、受信した多重化情報をチャネル単位さらにはビット単位で分離化して抽出する多重化装置が設けられている。多重化装置には、保護制御装置の各種系統情報の出力および機器制御情報の入力をその種別および特性別にモジュール化してバス結合する複数の分離・多重ロジックが備えられている（例えば、特許文献１参照。）。
また、他の電力保護制御システムは、複数の端末装置からの電力系統の情報を多重化して中央継電装置にループ伝送し、中央継電装置での情報相互間の保護演算結果を多重化して各端末装置にループ伝送している（例えば、特許文献２参照。）。
【０００３】
【特許文献１】特開平２−５１３１０号公報
【特許文献２】特開昭６２−１１４４２１号公報
【発明の開示】
【発明が解決しようとする課題】
【０００４】
しかし、多重化装置と保護制御装置間の通信フォーマットが保護制御装置からのデータを振り分けおよび集約することに対応できていないために、保護制御装置から送信されてきたデータを単に通過させるモードでしか通信できず、保護制御装置としては１つの他の保護制御装置としか通信できないという問題があった。
この場合、複数の保護制御装置と通信するためには、保護制御装置と多重化装置とを複数の通信路で接続しなければならない。そして、通信路毎に接続する送受信部と多重化装置が必要になるという課題があった。
また、この多重化装置を用いて複数の相手装置と通信するときには、保護制御装置と多重化装置との間に、保護制御装置のデータ形式をネットワーク対応の多重化装置の標準フォーマットに変換・逆変換する専用な多重化装置（例えば、ＣＲ−ＭＵＸ）を設置しなければならない。
また、デジタルネットワークの物理的形状がループで情報伝送を行うときには、全保護制御装置の情報を収集し、必要な機器制御情報を送るまでの時間が長いという問題があった。
【０００５】
この発明の目的は、少ない通信路を用いて、１対向分の通信遅延時間で情報交換を行える安価な電力保護制御システムを提供することである。
【課題を解決するための手段】
【０００６】
この発明に係わる電力保護制御システムは、少なくとも１つの保護制御装置が通信路を介して接続され、デジタルネットワークを介して互いに接続された複数の多重分離装置を有し、上記保護制御装置の間で情報を交換する電力保護制御システムであって、上記保護制御装置が、上記デジタルネットワークでの伝送に用いられる通信フレームと同じ形式の上記通信路で伝送される通信フレームのあらかじめ定められたチャネルに情報を配置して多重化し、他方、該保護制御装置に接続された上記多重分離装置から上記通信路を介して伝送される通信フレームのあらかじめ定められたチャネルから情報を分離化する多重分離部を有し、上記多重分離装置が、上記保護制御装置から上記通信路を介して伝送される通信フレームのあらかじめ定められたチャネルの情報を上記デジタルネットワークで伝送される通信フレームの他の上記多重分離装置が受信することがあらかじめ定められたチャネルに配置して多重化し、他方、他の上記多重分離装置から上記デジタルネットワークを介して伝送される通信フレームのあらかじめ定められたチャネルの情報を上記通信路で伝送される通信フレームのあらかじめ定められたチャネルに分離化する。
【発明の効果】
【０００７】
この発明の電力保護制御システムに係わる効果は、保護制御装置および多重化装置の送受信に関する構成が簡単になり、費用を削減することができる。
【発明を実施するための最良の形態】
【０００８】
実施の形態１．
図１は、この発明の実施の形態１に係わる電力保護制御システムのブロック図である。
この電力保護制御システムは、複数のデジタル保護制御リレー（以下、リレーと略称する。）１を有する保護制御装置２と、通信速度２Ｍｂｐｓの信号と通信速度８Ｍｂｐｓの信号との間を多重化および分離化する８Ｍ多重分離装置３と、保護制御装置２と８Ｍ多重分離装置３との間を接続し、通信速度２Ｍｂｐｓで信号が伝送される通信路４と、通信速度８Ｍｂｐｓで信号が伝送されるデジタルネットワーク５とを有している。
【０００９】
より具体的に電力保護制御システムの構成を説明する。この電力保護制御システムは、３つの場所に分散して配置され、それぞれの場所の保護制御が行われる送電設備、変電設備などからなる保護制御対象機器６を保護制御する。この３つの場所をサイトＡ、Ｂ、Ｃと称する。サイトＡの保護制御装置Ａ２がリレーＡ１およびリレーＢ１、サイトＢの保護制御装置Ｂ２がリレーＣ１、サイトＣの保護制御装置Ｃ２がリレーＤ１を備えている。リレー１が保護制御対象機器６の系統情報を収集し、送信し、機器制御情報を受信して、保護制御対象機器６を制御する機能を有している。なお、サイトの数、リレーなどの数は理解をし易いように少なくしているがこれに限るものではない。
【００１０】
さらに、保護制御装置２が、通信速度６４ｋｂｐｓで搬送される系統情報を通信速度２Ｍｂｐｓで伝送される通信フレーム（以下、２Ｍ通信フレームと称す。）に多重化し、逆に２Ｍ通信フレームで搬送されてきた機器制御情報を通信速度６４ｋｂｐｓの信号に分離する２Ｍ多重分離部７を有している。２Ｍ通信フレームの形式は、ＩＴＵ−Ｔ勧告Ｇ．７０４に準拠し、図２に示すように、１フレーム１２５μｓ、２５６ビット、３２スロットからなる。０スロットと１６スロットは通信の制御に用いられるので、情報の伝送には３０スロットが用いることができる。このスロットを順番にチャネルＣＨ１からチャネルＣＨ３０と称す。１つのチャネルは８ビットからなる。２Ｍ多重分離部７は、リレー１とリレー１に係わる情報が多重化される２Ｍ通信フレームのチャネルとの対応関係をあらかじめ割り当てる割当テーブルＡ、Ｂ、Ｃ８を有している。
次に、８Ｍ多重分離装置３は、通信路４で伝送される２Ｍ通信フレームに含まれる情報を通信速度８Ｍｂｐｓでデジタルネットワーク５を介して伝送される通信フレーム（以下、８Ｍ通信フレームと称す。）に多重化し、逆に８Ｍ通信フレームに含まれる情報を２Ｍ通信フレームに分離化する。８Ｍ通信フレームは、１フレーム３１μｓ、２５６ビット、３２スロットからなり、２Ｍ通信フレームの時間長だけが異なり、その他の形式は同様である。８Ｍ多重分離装置３は、２Ｍ通信フレームのチャネルと８Ｍ通信フレームのチャネルとの対応関係を割り当てる割当テーブルＸ、Ｙ、Ｚ９を有している。
【００１１】
次に、各割当テーブルに付いて説明する。２Ｍ多重分離部Ａ７の割当テーブルＡ８が図３に示すようにあらかじめ定められている。図３において、縦列が保護制御装置２に備えられているリレー１を示していて、この実施の形態１では２台のリレー１を示している。横列が２Ｍ通信フレームのチャネルを示している。黒丸が対応関係を有していることを示している。図３では、リレーＡ１をチャネルＣＨ１、リレーＢ１をチャネルＣＨ２に割り当ててある。２Ｍ多重分離部Ｂ７の割当テーブルＢ８は図４に示すようにあらかじめ定められている。リレーＣ１をチャネルＣＨ１に割り当ててある。２Ｍ多重分離部Ｃ７の割当テーブルＣ８は図５に示すように定められている。リレーＤ１をチャネルＣＨ１に割り当ててある。
また、８Ｍ多重分離装置Ａ３の割当テーブルＸ９は図６に示すように定められている。図６において、縦列が４つの８Ｍ通信フレームを１群とし、１番目の通信フレーム、２番目の通信フレーム、３番目の通信フレーム、４番目の通信フレームとして示している。横列が２Ｍ通信フレームのチャネルを示している。黒丸が対応関係を有していることを示している。２Ｍ多重分離部Ａ７からの２Ｍ通信フレームのチャネルＣＨ１を２番目の８Ｍ通信フレームのＣＨ１、２Ｍ多重分離部Ａ７からの２Ｍ通信フレームのチャネルＣＨ２を３番目の８Ｍ通信フレームのＣＨ１に割り当てている。また、８Ｍ多重分離装置Ｂ３の割当テーブルＹ９は図７に示すように定められている。２Ｍ多重分離部Ｂ７からの２Ｍ通信フレームのチャネルＣＨ１を２番目の８Ｍ通信フレームのＣＨ１に割り当てている。また、８Ｍ多重分離装置Ｃ３の割当テーブルＺ９は図８に示すように定められている。２Ｍ多重分離部Ｃ７からの２Ｍ通信フレームのチャネルＣＨ１を３番目の８Ｍ通信フレームのＣＨ１に割り当てている。
【００１２】
通信路４の通信速度は、２Ｍｂｐｓであり、広域デジタル伝送方式に対応している。なお、この説明においては、欧州で広く使われているＥ１回線について行っているが、米国で使われている１．５４４ＭｂｐｓのＴ１回線を用いても同様である。
また、デジタルネットワーク５の網形態（トポロジー）はバス型である。なお、トポロジーがループ型であっても同様に通信フレームの伝送が可能である。
【００１３】
次に、このデジタル保護制御システムの動作について説明する。この説明において、リレーＡ１で収集された系統情報Ｘ、リレーＢ１で収集された系統情報ＹをそれぞれリレーＣ１とリレーＤ１とに送信することを説明する。このとき、リレーＣ１とリレーＤ１では、受信した系統情報Ｘ、Ｙに基づき保護演算処理を行い、機器制御情報Ｖ、Ｗを求め、リレーＡ１にそれらの機器制御情報Ｖ、Ｗを送信する。なお、伝送において系統情報と機器制御情報とは同じように扱われ、双方向で伝送ができる。
【００１４】
まず、リレーＡ１では、系統の電流を図示しない電流変成器で検知してそれをデジタル信号に変換して系統情報Ｘを収集する。さらにリレーＢ１は、系統の電圧を図示しない巻線変圧器で検知してそれをデジタル信号に変換して系統情報Ｙを収集する。これら系統情報Ｘと系統情報Ｙとが２Ｍ多重分離部Ａ７に入力される。２Ｍ多重分離部Ａ７では、割当テーブルＡ８に基づいて２Ｍ通信フレームのチャネルＣＨ１に系統情報Ｘ、チャネルＣＨ２に系統情報Ｙを多重化する。この多重化された２Ｍ通信フレームが、８Ｍ多重分離装置Ａ３に低速伝送路４を経由して送信される。８Ｍ多重分離装置Ａ３では、割当テーブルＸに基づいて２番目の８Ｍ通信フレームのチャネルＣＨ１に２Ｍ通信フレームのチャネルＣＨ１で伝送されてきた系統情報Ｘ、３番目の８Ｍ通信フレームのチャネルＣＨ１に２Ｍ通信フレームのチャネルＣＨ２で伝送されてきた系統情報Ｙを多重化する。このようにして多重化された８Ｍ通信フレームをデジタルネットワーク５に送信する。
【００１５】
次に、８Ｍ多重分離装置Ｂ３では、割当テーブルＹ９に基づいて、８Ｍ多重分離装置Ａ３から送信された２番目の８Ｍ通信フレームのチャネルＣＨ１で伝送されてきた系統情報Ｘを２Ｍ通信フレームのチャネルＣＨ１に分離化する。また、８Ｍ多重分離装置Ｃ３では、割当テーブルＺ９に基づいて、８Ｍ多重分離装置Ａ３から送信された３番目の８Ｍ通信フレームのチャネルＣＨ１で伝送されてきた系統情報Ｙを２Ｍ通信フレームのチャネルＣＨ１に分離化する。
【００１６】
次に、２Ｍ多重分離部Ｂ７では、割当テーブルＢ８に基づいて、８Ｍ多重分離装置Ｂ３から送信された２Ｍ通信フレームのチャネルＣＨ１で伝送されてきた系統情報Ｘを分離化し、通信速度６４ｋｂｐｓの信号としてリレーＣ１に送信する。また、２Ｍ多重分離部Ｃ７では、割当テーブルＣ８に基づいて、８Ｍ多重分離装置Ｃ３から送信された２Ｍ通信フレームのチャネルＣＨ１で伝送されてきた系統情報Ｙを分離化し、通信速度６４ｋｂｐｓの信号としてリレーＤ１に送信する。
【００１７】
リレーＣ１では、この系統情報Ｘに基づいて保護演算処理を行い、機器制御情報Ｖを得る。また、リレーＤ１では、この系統情報Ｙに基づいて保護演算処理を行い、機器制御情報Ｗを得る。これら機器制御情報Ｖ、ＷをリレーＡ１およびリレーＢ１に送信する。すなわち、２Ｍ多重分離部Ｂ７は、割当テーブルＢ８に基づいて機器制御情報Ｖを２Ｍ通信フレームのチャネルＣＨ１に多重化する。また、２Ｍ多重分離部Ｃ７は、割当テーブルＣ８に基づいて機器制御情報Ｗを２Ｍ通信フレームのチャネルＣＨ１に多重化する。
次に、８Ｍ多重分離装置Ｂ３では、割当テーブルＹ９に基づいて２番目の８Ｍ通信フレームのチャネルＣＨ１に２Ｍ通信フレームのチャネルＣＨ１で伝送されてきた機器制御情報Ｖを多重化する。また、８Ｍ多重分離装置Ｃ３では、割当テーブルＺ９に基づいて３番目の８Ｍ通信フレームのチャネルＣＨ１に２Ｍ通信フレームのチャネルＣＨ１で伝送されてきた機器制御情報Ｗを多重化する。
【００１８】
次に、８Ｍ多重分離装置Ａ３では、割当テーブルＸ９に基づいて、８Ｍ多重分離装置Ｂ３から送信された２番目の８Ｍ通信フレームのチャネルＣＨ１で伝送されてきた機器制御情報Ｖを２Ｍ通信フレームのチャネルＣＨ１に分離化し、８Ｍ多重分離装置Ｃ３から送信された３番目の８Ｍ通信フレームのチャネルＣＨ１で伝送されてきた機器制御情報Ｗを２Ｍ通信フレームのチャネルＣＨ２に分離化する。
次に、２Ｍ多重分離部Ａ７では、割当テーブルＡ８に基づいて、８Ｍ多重分離装置Ａ３から送信された２Ｍ通信フレームのチャネルＣＨ１の機器制御情報Ｖを分離化してリレーＡ１に送信し、チャネルＣＨ２の機器制御情報Ｗを分離化してリレーＢ１に送信する。
次に、リレーＡ１は機器制御情報Ｖに基づいて保護制御対象機器Ａ６を制御し、リレーＢ１は機器制御情報Ｗに基づいて保護制御対象機器Ｂ６を制御する。
【００１９】
この実施の形態１と同じ機能を従来の電力保護制御システムで実現するときには、保護制御装置の送受信部と多重化装置とを２倍必要になる。さらに、通信を要する保護制御装置が多くなればなるほど多くの送受信部と多重化装置が必要になり、費用が高くなってしまう。
【００２０】
このような電力保護制御システムは、複数の保護制御装置と協働して動作を行うときに１つの通信路、１つの送受信部と１つの多重化装置をそれぞれ保護制御装置に設ければ済むので安価にシステムを構成することができる。
【００２１】
また、各多重化装置がバスにそれぞれ接続されているので、保護制御装置を増設する際に多重分離装置の割付テーブルだけを変更すればよい。
【００２２】
実施の形態２．
図９はこの発明の実施の形態２に係わる電力保護制御システムのブロック図である。
この電力保護制御システムは実施の形態１と２Ｍ多重分離部およびデジタルネットワークが異なっている。その他は同様であるので同様な部分の説明は省略する。
図９に示す電力保護制御システムは、８Ｍ通信フレームの信号と通信速度３２Ｍｂｐｓで伝送される通信フレーム（以下、３２Ｍ通信フレームと称す。）の信号とを多重化、分離化する３２Ｍ多重分離装置１０をさらに有している。３２Ｍ多重分離装置１０は、８Ｍ通信フレームのチャネルと３２Ｍ通信フレームとの対応関係を示す割当テーブル１１を有する。
さらに、デジタルネットワーク５は、８Ｍ多重分離装置Ａ３と２つの３２Ｍ多重分離装置Ｍ１０および３２Ｍ多重分離装置Ｎ１０とが通信速度８Ｍｂｐｓで信号を第１の伝送路１２ａ、１２ｂで接続されている。また、８Ｍ多重分離装置Ｂ３と２つの３２Ｍ多重分離装置Ｏ１０および３２Ｍ多重分離装置Ｐ１０とが通信速度８Ｍｂｐｓの第１の伝送路１２ｃ、１２ｄで接続されている。そして、３２Ｍ多重分離装置Ｍ１０と３２Ｍ多重分離装置Ｏ１０とが通信速度３２Ｍｂｐｓの第２の伝送路１３ａを介して接続されている。同様に、３２Ｍ多重分離装置Ｎ１０と３２Ｍ多重分離装置Ｐ１０とが通信速度３２Ｍｂｐｓの第２の伝送路１３ｂを介して接続されている。
また、２Ｍ多重分離部７は、１つの系統情報または１つの機器制御情報を２つの同じ内容の情報に多重化する情報多重化手段１４と受信した２つの情報を元の情報に復元する情報復元手段１５とを有している。
【００２３】
次に、保護制御装置Ａ２から系統情報Ｘを保護制御装置Ｂ２に２つのルートを経由して送信する手順について説明する。２Ｍ多重分離部Ａ７の情報多重化手段１４は、系統情報Ｘを複製して複製情報ＸＲを作成する。２Ｍ多重分離部Ａ７は、図１０に示す割当テーブルＡ８に基づいて、系統情報ＸをチャネルＣＨ１、複製情報ＸＲをチャネルＣＨ３に多重化する。この多重化された２Ｍ通信フレームが８Ｍ多重分離装置Ａ３に送信される。８Ｍ多重分離装置Ａ３は、図１１に示すような割当テーブルＸ９に基づいて、系統情報Ｘを第１の伝送路１２ａを介して３２Ｍ多重分離装置Ｍ１０に、複製情報ＸＲを第１の伝送路１２ｂを介して３２Ｍ多重分離装置Ｎ１０にそれぞれ送信する。系統情報Ｘはさらに３２Ｍ多重分離装置Ｏ１０を経由して８Ｍ多重分離装置Ｂ３に送信される。同様に、複製情報ＸＲはさらに３２Ｍ多重分離装置Ｐ１０を経由して８Ｍ多重分離装置Ｂ３に送信される。
８Ｍ多重分離装置Ｂ３は、図１２に示す割当テーブルＹ９に基づき、第１の伝送路１２ｃを経由して伝送されてきた１番目の８Ｍ通信フレームのチャネルＣＨ１で伝送されてきた系統情報Ｘを２Ｍ通信フレームのチャネルＣＨ１に分離化し、第２の伝送路１２ｄを経由して伝送されてきた１番目の８Ｍ通信フレームのチャネルＣＨ１で伝送されてきた複製情報ＸＲを２Ｍ通信フレームのチャネルＣＨ２に分離化する。
次に、２Ｍ多重分離部Ｂ７は、図１３に示す割当テーブルＢ８に基づいて、系統情報Ｘと複製情報ＸＲとをリレーＣ１用の情報として分離する。この分離された系統情報Ｘと複製情報ＸＲとから情報復元手段１５が元の系統情報Ｘを復元して保護演算処理に用いる。情報復元手段１５は、通常伝送に使用するルートが正常なときにはそのルートからの系統情報Ｘを元の系統情報Ｘとし、通常伝送に使用するルートが異常なときには、別に設定されているルートを経由して伝送されてきた複製情報ＸＲを元の系統情報Ｘと復元する。
【００２４】
この実施の形態２と同じ機能を従来の電力保護制御システムで実現するときには、保護制御装置の送受信部と多重化装置とを２倍必要になる。
【００２５】
このような電力保護制御システムは、片方のルートで通信エラーが発生しても、もう片方のルートが確保できるのでシステムの信頼性が向上する。
【００２６】
実施の形態３．
図１４はこの発明の実施の形態３に係わる電力保護制御システムのブロック図である。
実施の形態３の電力保護制御システムは実施の形態１と保護制御装置が異なっており、その他は同様であるので説明は省略する。保護制御装置として中央保護制御装置１６と端末保護制御装置１７の２種類からなる。この電力保護制御システムは、情報伝送において中央保護制御装置１６が中央に配置され、それぞれの端末保護制御装置１７がスター接続された構成になっている。中央保護制御装置１６はデジタルネットワーク５を経由してスター接続されたすべての端末保護制御装置１７とＰＯＩＮＴ−ＴＯ−ＰＯＩＮＴで情報交換することができる。
【００２７】
このような電力保護制御システムは、１台の中央保護制御装置と複数の端末保護制御装置とが接続され、中央保護制御装置に接続されている８Ｍ多重分離装置が所望の８Ｍ多重分離装置に情報を割り振って送信できるので、一本の通信路だけ中央保護制御装置と８Ｍ多重分離装置との間に設ければよい。
【００２８】
一方、実施の形態３と同じ機能をループ伝送に置き換えて実現しようとすると、情報の収集および分配に要する時間が長くなってしまう。
【００２９】
実施の形態４．
図１５は、この発明の実施の形態４に係わる電力保護制御システムのブロック図である。
デジタルネットワーク５には８Ｍ多重分離装置３を介して４台の保護制御装置２が接続されている。これら保護制御装置２と８Ｍ多重分離装置３とは、実施の形態１と同様であるので説明を省略する。
図１５のシステムでは、保護制御装置２間で相互に情報を伝送することができる。保護制御装置Ａ２から３つの系統情報が出力され、３つの機器制御情報が入力される。８Ｍ多重分離装置Ａ３は系統情報Ｘ１を８Ｍ多重分離装置Ｂ３に、系統情報Ｘ２を８Ｍ多重分離装置Ｃ３に、系統情報Ｘ３を８Ｍ多重分離装置Ｄ３にそれぞれ振り分けて送信する。また、８Ｍ多重分離装置Ａ３は、機器制御情報Ｖ１、Ｖ２、Ｖ３を分離して保護制御装置Ａ２に送信する。
また、保護制御装置Ｂ２は系統情報Ｘ１を受信し、保護演算処理を行って機器制御情報Ｖ１を保護制御装置Ａ２に戻す。
また、保護制御装置Ｃ２は系統情報Ｘ２およびＸ４を受信し、保護演算処理を行って機器制御情報Ｖ２、Ｖ５をそれぞれ保護制御装置Ａ２と保護制御装置Ｄ２に戻す。
また、保護制御装置Ｄ２は系統情報Ｘ４を保護制御装置Ｃ２に送信し、さらに系統情報Ｘ３を受信し、保護演算処理を行って機器制御情報Ｖ３を保護制御装置Ａ２に戻す。
【００３０】
このような電力保護制御システムは、複数の保護制御装置と送受信する場合でも通信路は１つでよい。
【図面の簡単な説明】
【００３１】
【図１】この発明の実施の形態１に係わる電力保護制御システムのブロック図である。
【図２】この発明の通信に用いられる通信フレームの構成図である。
【図３】実施の形態１の２Ｍ多重分離部Ａに備えられた割当テーブルである。
【図４】実施の形態１の２Ｍ多重分離部Ｂに備えられた割当テーブルである。
【図５】実施の形態１の２Ｍ多重分離部Ｃに備えられた割当テーブルである。
【図６】実施の形態１の８Ｍ多重分離装置Ａに備えられた割当テーブルである。
【図７】実施の形態１の８Ｍ多重分離装置Ｂに備えられた割当テーブルである。
【図８】実施の形態１の８Ｍ多重分離装置Ｃに備えられた割当テーブルである。
【図９】この発明の実施の形態２に係わる電力保護制御システムのブロック図である。
【図１０】実施の形態２の２Ｍ多重分離部Ａに備えられた割当テーブルである。
【図１１】実施の形態２の８Ｍ多重分離装置Ａに備えられた割当テーブルである。
【図１２】実施の形態２の８Ｍ多重分離装置Ｂに備えられた割当テーブルである。
【図１３】実施の形態２の２Ｍ多重分離部Ｂに備えられた割当テーブルである。
【図１４】この発明の実施の形態３に係わる電力保護制御システムのブロック図である。
【図１５】この発明の実施の形態４に係わる電力保護制御システムのブロック図である。
【符号の説明】
【００３２】
１  デジタル保護制御リレー、２  保護制御装置、３  ８Ｍ多重分離装置、４  通信路、５  デジタルネットワーク回線、６  保護制御対象機器、７  ２Ｍ多重分離部、８、９、１１  割当テーブル、１０  ３２Ｍ多重分離装置、１２、１３  伝送路、１４  情報多重化手段、１５  情報復元手段、１６  中央保護制御装置、１７  端末保護制御装置。
【図１】
2005218196.tif 000003
【図２】
2005218196.tif 000004
【図３】
2005218196.tif 000005
【図４】
2005218196.tif 000006
【図５】
2005218196.tif 000007
【図６】
2005218196.tif 000008
【図７】
2005218196.tif 000009
【図８】
2005218196.tif 000010
【図９】
2005218196.tif 000011
【図１０】
2005218196.tif 000012
【図１１】
2005218196.tif 000013
【図１２】
2005218196.tif 000014
【図１３】
2005218196.tif 000015
【図１４】
2005218196.tif 000016
【図１５】
2005218196.tif 000017